(57)【要約】  画面上で客体サイズ調整方法は、前記画面に現われる少なくとも１つ以上の客体（ｏｂｊｅｃｔ）を認識する段階と；前記画面で前記またはそれぞれの認識された客体を示すガイド（ｇｕｉｄｅ）を表示する段階と；少なくとも１つの認識された客体のための選択命令を受信する段階と；サイズ調整命令を受信する段階と；前記サイズ調整命令の受信時に、前記少なくとも１つの選択された客体と関連したガイドの第１軸または前記第１軸に垂直である第２軸に対して前記少なくとも１つの選択された客体のサイズを調整する段階と；前記サイズ調整された客体を表示する段階と；を含む。
2015508210.tif 000002
【特許請求の範囲】
【請求項１】
画面上での客体サイズ調整方法において、
前記画面に現われる少なくとも１つ以上の客体を認識する段階と；
前記画面で前記またはそれぞれの認識された客体を示すガイドを表示する段階と；
少なくとも１つの認識された客体のための選択命令を受信する段階と；
サイズ調整命令を受信する段階と；
前記サイズ調整命令の受信時に、前記少なくとも１つの選択された客体と関連したガイドの第１軸または前記第１軸に垂直である第２軸に対して前記少なくとも１つの選択された客体のサイズを調整する段階と；
サイズ調整された客体を表示する段階と；を含む客体サイズ調整方法。
【請求項２】
２以上の客体が前記選択命令によって選択されるか否かを判断する段階と；
前記２以上の客体を１つの統合された客体にグループ化する段階と；
前記統合された客体を示すガイドを表示する段階と；をさらに含むことを特徴とする請求項１に記載の客体サイズ調整方法。
【請求項３】
画面上での客体サイズ調整方法において、
前記画面上に領域に対する選択命令を受信する段階と；
選択された領域を客体として認識する段階と；
前記画面上に前記選択された領域を認識された客体として示すガイドを表示する段階と；
前記認識された客体に対する選択命令を受信する段階と；
サイズ調整命令を受信する段階と；
前記サイズ調整命令の受信時に、選択された客体と関連したガイドの第１軸または前記第１軸に垂直である第２軸に対して前記選択された客体のサイズを調整する段階と；
前記サイズ調整された客体を表示する段階と；を含む客体サイズ調整方法。
【請求項４】
前記選択された領域は、前記第１軸方向での長さ及び前記第２軸方向での長さを有する区別されることができる領域であることを特徴とする請求項３に記載の客体サイズ調整方法。
【請求項５】
少なくとも１つの客体のサイズを調整する段階は、
前記第１軸及び前記第２軸のうち長い軸を基準軸として扱った後、前記基準軸の方向で画面サイズによって前記客体を拡大する段階を含むことを特徴とする請求項１〜４のいずれかに記載の客体サイズ調整方法。
【請求項６】
前記少なくとも１つの選択された客体のサイズを調整する段階は、前記ガイドの縦横比を維持しつつ前記客体を拡大する段階を含むことを特徴とする請求項１〜５のいずれかに記載の客体サイズ調整方法。
【請求項７】
前記サイズ調整された客体の表示後、調整解除命令を受信する段階と；
前記調整解除命令に応答して前記サイズ調整された客体の元のサイズを復旧する段階と；
前記元のサイズで前記客体を表示する段階と；をさらに含むことを特徴とする請求項１〜６のいずれかに記載の客体サイズ調整方法。
【請求項８】
画面上での客体サイズ調整装置において、
元の客体及びサイズ調整された客体を表示するように構成される画面と；
前記画面に現われる少なくとも１つ以上の客体（ｏｂｊｅｃｔ）を認識し、
前記画面で前記またはそれぞれの認識された客体を示すガイド（ｇｕｉｄｅ）を表示し、
少なくとも１つの認識された客体のための選択命令を受信し、
サイズ調整命令を受信し、
前記サイズ調整命令の受信時に、前記少なくとも１つの選択された客体と関連したガイドの第１軸または前記第１軸に垂直である第２軸に対して前記少なくとも１つの選択された客体のサイズを調整し、
前記サイズ調整された客体を表示するように前記画面を制御する制御部と；を含む客体サイズ調整装置。
【請求項９】
前記制御部は、
２以上の客体が前記選択命令によって選択されるか否かを判断し、
前記２以上の客体を１つの統合された客体にグループ化し、
前記統合された客体を示すガイドを表示するように前記画面を制御することを特徴とする請求項８に記載の客体サイズ調整装置。
【請求項１０】
画面上での客体サイズ調整装置において、
元の客体及びサイズ調整された客体を表示するように構成される画面と；
前記画面上に領域に対する選択命令を受信し、
選択された領域を客体として認識し、
前記画面上に前記選択された領域を認識された客体として示すガイドを表示し、
前記認識された客体に対する選択命令を受信し、
サイズ調整命令を受信し、
前記サイズ調整命令の受信時に、選択された客体と関連したガイドの第１軸または前記第１軸に垂直である第２軸に対して前記選択された客体のサイズを調整し、
前記サイズ調整された客体を表示するように前記画面を制御する制御部と；を含む客体サイズ調整装置。
【請求項１１】
前記選択された領域は、前記第１軸方向での長さ及び前記第２軸方向での長さを有する区別されることができる領域であることを特徴とする請求項１０に記載の客体サイズ調整装置。
【請求項１２】
前記制御部は、
前記第１軸及び前記第２軸のうち長い軸を基準軸として扱った後、前記基準軸の方向で画面サイズによって前記客体を拡大することによって、少なくとも１つの客体のサイズを調整することを特徴とする請求項８〜１１のいずれかに記載の客体サイズ調整装置。
【請求項１３】
前記制御部は、前記ガイドの縦横比を維持しつつ前記客体を拡大することによって、前記少なくとも１つの選択された客体のサイズを調整することを特徴とする請求項８〜１１のいずれかに記載の客体サイズ調整装置。
【請求項１４】
前記制御部は、
前記サイズ調整された客体の表示後、調整解除命令を受信し、
前記調整解除命令に応答して前記サイズ調整された客体の元のサイズを復旧し、
前記元のサイズで前記客体を表示することを特徴とする請求項８〜１３のいずれかに記載の客体サイズ調整装置。
【発明の詳細な説明】
【技術分野】
【０００１】
本発明は、画面に表示された客体のサイズ調整方法及び装置に関する。
【背景技術】
【０００２】
最近、ディスプレイ装置技術が発展するに伴い、ディスプレイ画面を提供する多様な装置が登場している。特に、従来の機能にディスプレイ画面の追加される装置が多様に開発されている。例えば、デジタルカメラの場合、従来のカメラ機能にプレビューまたは写真を確認することができるディスプレイが装着される。また、ＰＭＰのように、ディスプレイが装着された新しいデジタル装置も開発されている。
【０００３】
ディスプレイ画面を利用する場合、ユーザが装置の状態を視覚的に認識することができるなど便宜性が大幅に強化されるので、その活用度が急激に増加しており、このような傾向は、デジタル装置の発展傾向を考慮して、以後さらに加速化される見込みである。
【０００４】
ひいては、現在は、多様なサイズのディスプレイ画面を有する装置が開発されている。したがって、ユーザが自分が使用したい機能に従って適切なサイズに画面内の客体を調整して使用する必要がある。しかし、従来の技術によれば、ユーザが選択した客体または領域のサイズを拡大したり、縮小したりすることが様々な段階を進行しなければならないか、または入力方法が不便であるという問題点がある。
【発明の概要】
【発明が解決しようとする課題】
【０００５】
本発明は、前述したような問題点を解決するためになされたものであって、その目的は、画面に表示された客体のサイズ調整時に、客体の領域を示すガイド（ｇｕｉｄｅ）を表示し、ガイドを利用して客体のサイズを調整することができる方法及び装置を提供することにある。
【課題を解決するための手段】
【０００６】
本発明の第１実施例によって、画面上で客体サイズ調整方法は、前記画面に現われる少なくとも１つ以上の客体（ｏｂｊｅｃｔ）を認識する段階と；前記画面で前記またはそれぞれの認識された客体を示すガイド（ｇｕｉｄｅ）を表示する段階と；少なくとも１つの認識された客体のための選択命令を受信する段階と；サイズ調整命令を受信する段階と；前記サイズ調整命令の受信時に、前記少なくとも１つの選択された客体と関連したガイドの第１軸または前記第１軸に垂直である第２軸に対して前記少なくとも１つの選択された客体のサイズを調整する段階と；前記サイズ調整された客体を表示する段階と；を含む。
【０００７】
本発明の第２実施例によって、画面上で客体サイズ調整方法は、前記画面上に領域に対する選択命令を受信する段階と；前記選択された領域を客体として認識する段階と；前記画面上に前記選択された領域を認識された客体として示すガイドを表示する段階と；前記認識された客体に対する選択命令を受信する段階と；サイズ調整命令を受信する段階と；前記サイズ調整命令の受信時に、前記選択された客体と関連したガイドの第１軸または前記第１軸に垂直である第２軸に対して前記選択された客体のサイズを調整する段階と；前記サイズ調整された客体を表示する段階と；を含む。
【０００８】
本発明の第３実施例によって、画面上に客体サイズ調整装置は、元の客体及びサイズ調整された客体を表示するように構成される画面と；前記画面に現われる少なくとも１つ以上の客体（ｏｂｊｅｃｔ）を認識し、前記画面で前記またはそれぞれの認識された客体を示すガイド（ｇｕｉｄｅ）を表示し、少なくとも１つの認識された客体のための選択命令を受信し、サイズ調整命令を受信し、前記サイズ調整命令の受信時に、前記少なくとも１つの選択された客体と関連したガイドの第１軸または前記第１軸に垂直である第２軸に対して前記少なくとも１つの選択された客体のサイズを調整し、前記サイズ調整された客体を表示するように前記画面を制御する制御部と；を含む。
【０００９】
本発明の第４実施例によって、画面上に客体サイズ調整装置は、元の客体及びサイズ調整された客体を表示するように構成される画面と；前記画面上に領域に対する選択命令を受信し、前記選択された領域を客体として認識し、前記画面上に前記選択された領域を認識された客体として示すガイドを表示し、前記認識された客体に対する選択命令を受信し、サイズ調整命令を受信し、前記サイズ調整命令の受信時に、前記選択された客体と関連したガイドの第１軸または前記第１軸に垂直である第２軸に対して前記選択された客体のサイズを調整し、前記サイズ調整された客体を表示するように前記画面を制御する制御部と；を含む。
【発明の効果】
【００１０】
本発明によれば、様々な段階を進行しなければならないか、または不便な入力方法によらずに、一層便利に客体のサイズを調整することができる。
【図面の簡単な説明】
【００１１】
【図１】本発明の実施例による画面に表示された客体のサイズ調整装置の内部構成を示すブロック図である。
【図２】本発明の実施例のよった画面に表示された客体のサイズ調整方法の流れ図である。
【図３】本発明の実施例によってガイドの縦軸を基準として客体領域を拡張する動作を示す図である。
【図４】本発明の実施例によってガイドの横軸を基準として客体領域を拡張する動作を示す図である。
【図５】本発明の他の実施例によって２以上の客体が選択された場合、客体領域を拡張する動作を示す図である。
【図６】本発明のさらに他の実施例によって２以上の客体が選択された場合、客体領域を拡張する動作を示す図である。
【図７】本発明のさらに他の実施例によって選択された特定の領域を１つの客体（ｏｂｊｅｃｔ）として認識して客体領域を拡張する動作を示す流れ図である。
【図８】本発明の実施例によって客体領域を拡張する動作を示す図である。
【図９】本発明のさらに他の実施例によって選択された特定の領域を１つの客体（ｏｂｊｅｃｔ）として認識して客体領域を拡張する動作を示す図である。
【発明を実施するための形態】
【００１２】
本発明において客体（ｏｂｊｅｃｔ）とは、表示部１２２に現われる他の事物と区別されることができる独立された事物を意味する。例えば、人の顔または自動車などを客体と言える。また、独立された事物以外にも、表示部１２２で他の領域と区分可能な独自の領域を占める領域を客体と言える。例えば、アイコンまたはウェブブラウザー画面で特定のフレームなどを客体と言える。
【００１３】
本発明でガイド（ｇｕｉｄｅ）は、客体の領域を示す１つ以上の表示を含む。ガイドは、例えば、領域の境界を表示するために角括弧、実線、点線、四角形、円形など特定の領域を表示することができる形態で表示される。
【００１４】
本発明でサイズ調整というのは、サイズを拡大及び縮小することを意味する。
【００１５】
以下、添付の図面を参照して本発明の好ましい実施例を詳しく説明する。この際、添付の図面で、同一の構成要素は、できるだけ、同一の符号で示していることに留意しなければならない。また、本発明の要旨を不明にすることができる公知機能及び構成に対する詳細な説明を省略する。
【００１６】
図１は、本発明の実施例による画面に表示された客体のサイズ調整装置の内部構成を示すブロック図である。図１に示されたように、本発明の画面に表示された客体（ｏｂｊｅｃｔ）のサイズ調整装置１００は、キー入力部１１０、タッチスクリーン１２０及び制御部１３０を含むことができる。
【００１７】
キー入力部１１０は、客体のサイズ調整装置１００を制御するためのユーザのキー操作を入力されて入力信号を生成し、制御部１３０に伝達する。キー入力部１１０は、ハード（ｈａｒｄ）またはソフト（ｓｏｆｔ）数字キー、方向キーを含むキーパッドで構成されることができ、客体のサイズ調整装置１００の一面に所定の機能キーで形成されることができる。本発明の実施例によるキー入力部は、客体を選択し、特定の領域を選択するためのユーザ入力を受信することができる。但し、本発明の実施例によってタッチスクリーン１２０だけですべての操作が可能な客体のサイズ調整装置の場合には、キー入力部１１０が省略されてもよい。
【００１８】
タッチスクリーン１２０は、タッチセンサー１２１及び表示部１２２を含む。タッチセンサー１２１は、ユーザのタッチ入力及び位置を感知する。タッチセンサー１２１は、例えば、静電容量方式（ｃａｐａｃｉｔｉｖｅ  ｏｖｅｒｌａｙ）、圧力式抵抗膜方式（ｒｅｓｉｓｔｉｖｅ  ｏｖｅｒｌａｙ）、赤外線感知方式（ｉｎｆｒａｒｅｄ  ｂｅａｍ）などのタッチ感知センサーで構成されるか、または圧力感知センサー（ｐｒｅｓｓｕｒｅ  ｓｅｎｓｏｒ）で構成されてもよい。前記センサー以外にも、物体の接触または圧力を感知することができるすべての種類のセンサー機器が、本発明のタッチセンサー１２１で構成されることができる。タッチセンサー１２１は、ユーザのタッチ入力を感知し、感知信号を発生させて、制御部１３０に伝送する。前記感知信号には、ユーザがタッチを入力した座標データが含まれる。ユーザがタッチ位置移動動作を入力した場合に、タッチセンサー１２１は、タッチ位置移動経路の座標データを含む感知信号を発生させて制御部１３０に伝送する。
【００１９】
特に、タッチセンサー１２１は、本発明の実施例によって客体を選択し、特定の領域を選択するためのユーザ入力を感知することができる。このようなユーザ入力には、タッチ（マルチタッチを含む）、ドラッグなどが例示されることができる。これに関しては、以下でさらに詳しく説明する。
【００２０】
表示部１２２は、液晶表示装置（ＬＣＤ、Ｌｉｑｕｉｄ  Ｃｒｙｓｔａｌ  Ｄｉｓｐｌａｙ）、有機発光ダイオード（ＯＬＥＤ、Ｏｒｇａｎｉｃ  Ｌｉｇｈｔ  Ｅｍｉｔｔｉｎｇ  Ｄｉｏｄｅｓ）、能動型有機発光ダイオード（ＡＭＯＬＥＤ、Ａｃｔｉｖｅ  Ｍａｔｒｉｘ  Ｏｒｇａｎｉｃ  Ｌｉｇｈｔ  Ｅｍｉｔｔｉｎｇ  Ｄｉｏｄｅｓ）などで形成されることができ、携帯端末機 のメニュー、入力されたデータ、機能設定情報及びその他多様な情報をユーザに視覚的に提供する。表示部１２２は、原本イメージ及びサイズ調整されたイメージを表示する機能を行う。
【００２１】
本発明の画面に表示された客体のサイズ調整装置１００は、前記のように、タッチスクリーンを含んで構成されることができるが、以下で記述される本発明の実施例が必ずタッチスクリーンを備える画面に表示された客体のサイズ調整装置１００にのみ適用されるものではないことに留意しなければならない。本発明がタッチスクリーンを具備しない携帯端末機に適用される場合、図１に示されるタッチスクリーン１２０は、表示部１２２の機能のみを行うように変形適用されることができる。
【００２２】
制御部１３０は、携帯端末機の各構成要素に対する全般的な動作を制御する。特に、制御部１３０は、画面に現われる客体（ｏｂｊｅｃｔ）を認識し、客体の領域を示すガイド（ｇｕｉｄｅ）を表示し、前記客体の選択命令を受信し、サイズ調整命令の受信時に、前記ガイドの少なくとも第１軸または前記第１軸に垂直である第２軸を基準として前記領域のサイズを調整して表示する一連の過程を制御することができる。このために、本発明の実施例による制御部１３０は、客体認識部１３１と客体サイズ調整部１３２をさらに備えることができる。
【００２３】
客体認識部１３１は、表示部１２２に現われる少なくとも１つ以上の客体（ｏｂｊｅｃｔ）を認識することができる。本発明で客体（ｏｂｊｅｃｔ）というのは、表示部１２２に現われる他の事物と区別されることができる独立された事物を意味する。例えば、人の顔または自動車などを客体と言える。また、独立された事物以外にも、表示部１２２で他の領域と区分可能な独自の領域を占める領域を客体と言える。例えば、アイコンまたはウェブブラウザー画面で特定のフレームなどを客体と言える。
【００２４】
本発明の実施例による客体認識部１３１で客体を認識する方法は、多様に提供されることができる。単純に画面に表示されるイメージや動画で事物を認識するか、または人の顔を認識する方法などで客体を認識することができ、画面に表示された客体のサイズ調整装置１００がデジタルカメラに付着または含まれる場合には、デジタルカメラが焦点を合わせた物体を客体として認識することができる。また、ウェブページをブラウジングする装置の場合、ウェブブラウザー画面で提供するフレームを客体として認識することができる。すなわち、客体認識部１３１は、他の領域と区分可能な独自の領域を認識することができるすべての手段を通じて客体を認識可能である。さらに、客体認識部１３１は、キー入力部１１０またはタッチセンサー１２１を通じて画面の特定の領域を選択する命令を受信する場合、選択された特定の領域を１つの客体（ｏｂｊｅｃｔ）として認識することができる。
【００２５】
客体サイズ調整部１３２は、客体認識部１３１で客体を認識する場合、客体の領域を示すガイド（ｇｕｉｄｅ）を表示するように制御することができる。本発明でガイド（ｇｕｉｄｅ）は、客体の領域を示す１つ以上の表示を含む。ガイドは、角括弧、実線、点線、四角形、円形など特定の領域を表示することができる形態で表示される。ここで、特定の領域は、第１軸方向の第１長さと、第１軸に垂直である第２軸方向の第２長さを有し、他の領域と区分されることができる領域であることができる。
【００２６】
また、客体サイズ調整部１３２は、キー入力部１１０またはタッチセンサー１２１を通じて客体選択命令を受信することができる。タッチセンサー１２１を通じて客体選択命令を受信する場合、タッチ（マルチタッチを含む）、ドラッグなど多様なタッチ入力方法を利用することができる。
【００２７】
客体サイズ調整部１３２は、サイズ調整命令の受信時に、前記ガイドの第１軸または前記第１軸に垂直である第２軸を基準として前記領域のサイズを調整して表示するように制御する。本発明でサイズ調整というのは、サイズを拡大及び縮小することを意味する。また、本発明で第１軸または第２軸は、一般的に表示部１２２の境界線と一致する。すなわち、一般的な表示部１２２は、四角形形状を有し、そのうち、横方向または縦方向のうちいずれか１つを第１軸と言え、他の方向を第２軸と言える。
【００２８】
また、客体サイズ調整部１３２は、第１軸方向長さまたは第２軸方向長さのうち大きい長さを有する軸を基準軸として、表示部１２２の基準軸の方向のサイズに従って領域のサイズを拡大して表示することができる。また、客体サイズ調整部１３２は、ガイドの横と縦の比率を維持しつつ領域のサイズを拡大して表示することができる。
【００２９】
ひいては、客体サイズ調整部１３２は、選択命令の受信時に、少なくとも２以上の客体を選択する命令を受信する場合、前記２以上の客体をグループ化して１つの客体に統合するように制御することができる。また、客体サイズ調整部１３２は、統合された客体の領域を示すガイドを表示するように制御することができる。
【００３０】
客体サイズ調整部１３２は、キー入力部１１０またはタッチセンサー１２１を通じて調整解除命令を受信すれば、調整された領域のサイズを元のサイズに再調整して表示するように制御することができる。
【００３１】
前記では、制御部１３０と客体認識部１３１及び客体サイズ調整部１３２が別途のブロックで構成され、各ブロックが異なる機能を行うものと記述したが、これは、技術上の便宜のためのものに過ぎず、必ず、このように各機能が区分されるものではない。例えば、客体認識部１３１及び客体サイズ調整部１３２が行う特定機能を制御部１３０自体が行うことができることに留意しなければならない。
【００３２】
以下では、客体認識部１３１及び客体サイズ調整部１３２が行う特定機能を制御部１３０自体が行うものと設定して説明する。
【００３３】
図２は、本発明の実施例のよった画面に表示された客体のサイズ調整方法の流れ図である。
【００３４】
まず、制御部１３０は、２１０段階で、画面に現われる客体を認識する。前記画面は、イメージまたは動画が表示されるすべての画面を表示することができる。本発明で客体（ｏｂｊｅｃｔ）というのは、画面に現われる他の事物と区別されることができる独立された事物を意味する。例えば、顔または自動車などを客体と言える。また、独立された事物以外にも、画面で他の領域と区分可能な独自の領域を占める領域を客体と言える。例えば、アイコンまたはウェブブラウザー画面で特定フレームなどを客体と言える。
【００３５】
制御部１３０で客体を認識する方法は、多様に提供されることができる。単純に画面に表示されるイメージや動画で事物を認識するか、または人の顔を認識する方法などで客体を認識することができ、画面に表示された客体のサイズ調整装置１００がデジタルカメラに付着または含まれる場合には、デジタルカメラが焦点を合わせた物体を客体として認識することができる。また、ウェブページをブラウジングする装置の場合、ウェブブラウザー画面で提供するフレームを客体として認識することができる。すなわち、客体認識部１３１は、他の領域と区分可能な独自の領域を認識することができるすべての手段を通じて客体を認識可能である。
【００３６】
その後、制御部１３０は、２２０段階に進行し、認識した客体に対してガイドを表示する。本発明でガイド(ｇｕｉｄｅ)というのは、客体の領域を示す表示を意味する。ガイドは、角括弧、実線、点線、四角形、円形など特定の領域を表示することができる形態で表示される。
【００３７】
制御部１３０は、２３０段階で、客体選択命令を受信すれば、２４０段階に進行し、２以上の客体が選択されたか否かを判断し、ただ１つの客体が選択されたと判断する場合には、２７０段階に進行する。制御部１３０が２４０段階で２以上の客体が選択されたと判断する場合、２５０段階に進行する。
【００３８】
制御部１３０は、キー入力部１１０またはタッチセンサー１２１を通じて客体選択命令を受信することができる。タッチセンサー１２１を通じて客体選択命令を受信する場合、タッチ（マルチタッチを含む）、ドラッグなど多様なタッチ入力方法を利用することができる。これについて以下でさらに詳細に説明する。
【００３９】
制御部１３０は、２５０段階で、２以上の客体をグループ化し、１つの客体に統合するように制御することができる。その後、制御部１３０は、２６０段階に進行し、統合された客体の領域を示すガイドを表示するように制御することができる。
【００４０】
ひいては、制御部１３０は、２７０段階で、キー入力部１１０またはタッチセンサー１２１を通じて画面拡大命令を受信すれば、２８０段階で、１軸または２軸を基準として領域のサイズを調整することができる。本発明で第１軸または第２軸は、一般的に表示部１２２の境界線と一致する。すなわち、一般的な表示部１２２は、四角形の形状を有し、そのうち、横方向または縦方向のうちいずれか１つを第１軸と言え、他の方向を第２軸と言える。
【００４１】
また、制御部１３０は、第１軸方向長さまたは第２軸方向長さのうち大きい長さを有する軸を基準軸として、表示部１２２の基準軸の方向のサイズに従って領域のサイズを拡大して表示するように制御することができる。また、制御部１３０は、ガイドの横と縦の比率を維持しつつ領域のサイズを拡大して表示することができる。
【００４２】
制御部１３０は、２８０段階以後にも、キー入力部１１０またはタッチセンサー１２１を通じて調整解除命令を受信すれば、調整された領域のサイズを元のサイズに再調整して表示するように制御することができる（図示せず）。
【００４３】
図３は、本発明の実施例によってガイドの縦軸を基準として客体領域を拡張する動作を示す図である。
【００４４】
図３の画面表示(ａ)を参照すれば、制御部１３０が表示されたイメージで人の顔を客体３０１、３０２、３０３として認識し、点線及び角括弧でガイドを表示している。ガイドは、多様な方法で表示可能であり、点線または角括弧のうちいずれか１つだけでも表示可能である。
【００４５】
図３の画面表示（ｂ）で、制御部１３０は、最も右側客体３０３に対して選択命令とサイズ調整命令を受信する。本発明でサイズ調整というのは、サイズを拡大及び縮小することを意味する。このような例で、客体３０３に対して二度のタッチ入力があったが、一番目のタッチ入力は、最も右側客体３０３の選択命令であり、二番目のタッチ入力は、選択された客体３０３に対してサイズ調整命令である。選択命令とサイズ調整命令は、また、キー入力部１１０または他の種類のタッチジェスチャーによって生成されることができる。
【００４６】
図３の画面表示（ｃ）、（ｄ）、（ｅ）を参照すれば、前記客体３０３と関連したガイドの第１軸は、垂直方向であり、第２軸は、水平方向であることを仮定する。第１軸がさらに長いため、第１軸が基準軸になる。ガイドの第１軸は、表示部１２２の長い軸と同一であることができるが、これに限定されない。ここで、客体３０３は、第１軸（垂直方向に）に画面サイズによって拡大されることができ、前記ガイドの比率によって第２軸（水平方向に）を拡大する。
【００４７】
図３の画面表示（ｅ）を参照すれば、制御部１３０は、ガイド外側部分をタッチするなどの設定された調整解除命令を受信すれば、調整された領域のサイズを元のサイズに再調整して表示するように制御することができる（図示せず）。
【００４８】
図４は、本発明の実施例によってガイドの横軸を基準として客体領域を拡張する動作を示す図である。
【００４９】
図４の画面表示（ａ）を参照すれば、制御部１３０が表示されたイメージで自動車を客体４０１、４０２、４０３、４０４として認識し、点線及び角括弧でガイドを表示している。ガイドは、多様な方法で表示可能であり、点線または角括弧のうちいずれか１つだけでも表示可能である。図４の画面表示(ｂ)を参照すれば、制御部１３０は、左側前方の客体４０３に対して選択命令とサイズ調整命令を受信する。客体４０３に対して二度のタッチ入力があったが、第１タッチ入力は、客体４０３の選択命令であり、二番目のタッチ入力は、選択された客体４０３に対してサイズ調整命令である。
【００５０】
図４の画面表示（ｃ）、（ｄ）を参照すれば、前記客体４０３と関連したガイドの第１軸は、垂直方向であり、第２軸は、水平方向であることを仮定する。第２軸がさらに長いため、第２軸が基準軸になる。ガイドの第１軸は、表示部１２２の長い軸と同一であることができるが、これに限定されない。その後、客体３０３は、第１軸（垂直方向に）に画面サイズによって拡大されることができ、前記ガイドの比率によって第１軸（垂直方向に）を拡大する。図４の画面表示（ｄ）を参照すれば、制御部１３０は、ガイド外側部分をタッチするなどの設定された調整解除命令を受信すれば、調整された領域のサイズを元のサイズに再調整して表示するように制御することができる（図示せず）。
【００５１】
図５は、本発明の他の実施例によって２以上の客体が選択された場合、客体領域を拡張する動作を示す図である。
【００５２】
図５の画面表示（ａ）を参照すれば、制御部１３０は、客体５０１、５０２、５０３として表示されるイメージ内で表示される顔を認識し、点線及び角括弧で構成されたガイドを表示している。
【００５３】
図５の画面表示（ｂ）を参照すれば、制御部１３０は、中間客体５０２と右側客体５０３に対して選択命令を受信する。２個のタッチ入力が２個の客体を選択するために発生した。１つのタッチ入力は、客体５０２の選択命令であり、他のタッチ入力は、選択された客体５０３に対する選択命令である。多数の客体が多様な方式で同時に選択されることができる。例えば、前記例でも、キー入力部１１０またはマルチ−タッチジェスチャーを通じて一回に２以上の客体が選択されることができる。他の例示的なタッチ入力の使用は、図６と関連して詳しく説明する。
【００５４】
図５の画面表示（ｂ）で、２以上の客体に対する選択に応答して、制御部１３０は、図５の画面表示（ｃ）で示されたように、１つの統合された客体として選択された多数の客体を扱うことができる。図５の画面表示（ｃ）で、不透明なボックス５０４は、単純に統合過程の説明に対する視覚的なインジケーターであり、実際に表示されないことがある。図５の画面表示（ｄ）を参照すれば、制御部１３０は、統合された客体５０５の領域を示すガイドを表示するように表示部１２２を制御した。統合された客体５０５に対して、タッチ入力がある場合、図５の画面表示（ｅ）のように拡大される。前記客体５０５と関連したガイドの第１軸は、垂直方向であり、第２軸は、水平方向であることを仮定する。これにより、第２軸がさらに長いため、第２軸が基準軸となる。ガイドの第１軸は、表示部１２２の長い軸と同一であることができるが、これに限定されない。ここで、客体３０３は、第２軸（水平方向に）に画面サイズによって拡大されることができ、前記ガイドの比率によって第２軸（水平方向に）を拡大する。図５の画面表示（ｄ）を参照すれば、制御部１３０は、ガイド外側部分をタッチするなどの設定された調整解除命令を受信すれば、調整された領域のサイズを元のサイズに再調整して表示するように制御することができる（図示せず）。
【００５５】
図６は、本発明のさらに他の実施例によって２以上の客体が選択された場合、客体領域を拡張する動作を示す図である。
【００５６】
図６を参照すれば、図５と異なる方法で２以上の客体を選択する方法を説明する。図６の画面表示（ａ）で、図５と同一に制御部１３０が表示されたイメージで人の顔を客体６０１、６０２、６０３として認識し、点線及び角括弧でガイドを表示している。
【００５７】
図６の画面表示（ｂ）を参照すれば、２以上の客体６０２、６０３を選択し、図５で連続的なタッチをしたこととは異なって、描き動作（ｄｒａｗｉｎｇ）を通じて中間客体６０２と右側客体６０３を１つの円で連結するようになれば、中間客体６０２と右側客体６０３は、同時に選択される。
【００５８】
その後、図５と同様に、図６の画面表示（ｃ）に示されたように、制御部１３０は、１つの統合された客体として選択された多数の客体を扱い、図６の画面表示（ｃ）に示されたように、統合された客体６０４の領域を示すガイドを表示するように前記表示部１２２を制御することができる。統合された客体６０４は、円自体よりは円内に含まれた客体による。タッチ入力が統合された客体６０４上に発生すれば、制御部１３０は、図６の画面表示（ｄ）と同様に、統合された客体６０４を拡大する。図６の場合に、図５の場合とは異なって、描き動作（ｄｒａｗｉｎｇ）を通じて中間客体６０２と右側客体６０３を１つの円で連結するようになれば、選択が完了したものであるから、別途のサイズ調整命令なしにすぐサイズを調整して表示することが可能である。また、図３〜図６では、画面を拡大する場合のみを例示しているが、画面を縮小する動作も可能である。客体のサイズは、さらに大きくなるか、または小さくなるように調整されることができる。
【００５９】
図７は、本発明のさらに他の実施例によって選択された特定の領域を１つの客体（ｏｂｊｅｃｔ）として認識し、客体領域を拡張する動作を示す流れ図である。
【００６０】
まず、制御部１３０は、７１０段階で、キー入力部１１０またはタッチセンサー１２１を通じて画面の特定の領域を選択する命令を受信する。その後、制御部１３０は、７２０段階で、前記選択された特定の領域を１つの客体（ｏｂｊｅｃｔ）として認識する。ここで、特定の領域は、前記第１軸方向の長さと前記第２軸方向の長さを有し、他の領域と区分されることができる領域であることができる。領域のサイズは、ガイドの第１軸または第１軸に垂直である第２軸に対して調整されることができる。ここで、客体（ｏｂｊｅｃｔ）は、画面に現われる他の事物と区別されることができる独立された事物であることができる。例えば、顔または自動車などを客体と言える。また、独立された事物以外にも、画面で他の領域と区分可能な独自の領域を占める領域が客体であることができる。例えば、アイコンまたはウェブブラウザー画面で特定フレームが客体であることができる。
【００６１】
制御部１３０で客体を認識する方法は、多様に提供されることができる。単純に画面に表示されるイメージや動画で事物を認識するか、または顔を認識する方法などで客体を認識することができ、画面に表示された客体のサイズ調整装置１００がデジタルカメラに付着または含まれる場合には、デジタルカメラが焦点を合わせた物体を客体として認識することができる。また、ウェブページをブラウジングする装置の場合、ウェブブラウザー画面で提供するフレームを客体として認識することができる。すなわち、客体認識部１３１は、客体として画面上に区分可能な領域を認識することができる。
【００６２】
その後、制御部１３０は、７３０段階に進行し、認識した客体に対してガイドを表示する。本発明においてガイド（ｇｕｉｄｅ）は、客体の領域を示す１つ以上の表示を意味する。ガイドは、例えば、角括弧、実線、点線、四角形、円形など特定の領域を表示することができる形態で表示される。
【００６３】
制御部１３０は、７４０段階で、客体選択命令を受信する。制御部１３０は、７５０段階で、２個以上の客体が選択されるか否かを判断する。ただ１つの客体が選択されれば、制御部１３０は、７８０段階に進行する。そして、２以上の客体が選択されれば、制御部１３０は、７６０段階に進行する。
【００６４】
制御部１３０は、キー入力部１１０またはタッチセンサー１２１を通じて客体選択命令を受信することができる。タッチセンサー１２１が使用される場合、制御部１３０は、客体選択命令としてタッチ、マルチ−タッチ及びドラッグのような多様なタッチイベントなどを受信することができる。
【００６５】
２個以上の客体が選択されれば、７６０段階で、制御部１３０は、選択された客体を１つの統合された客体として扱い、７７０段階で、統合された客体の領域を示すガイドを表示する。
【００６６】
制御部１３０は、７８０段階で、キー入力部１１０またはタッチセンサー１２１からサイズ調整命令を受信し、７９０段階で、第１軸または第２軸に対して選択された客体の領域サイズを調整する。
【００６７】
その後、制御部１３０は、キー入力部１１０またはタッチセンサー１２１を通じて調整解除命令を受信すれば、調整された領域のサイズを元のサイズに再調整して表示するように制御することができる（図示せず）。
【００６８】
図８と図９を比較して前記のような実施例を説明する。図８と図９は、ウェブブラウザーを表示する画面を前提としている。図８で、制御部１３０は、選択命令の受信なしに特定の領域を客体として認識することができる。
【００６９】
図８の画面表示（ａ）を参照すれば、制御部１３０が表示されたウェブブラウザーでフレームを客体８０１として認識し、実線でガイドを表示している。ガイドは、多様な方法で表示可能である。制御部１３０は、客体８０１に対して選択命令とサイズ調整命令を受信する。サイズ調整は、客体の拡大または縮小であることができる。このような例で、客体８０１に対するサイズ調整命令の１つのタッチ入力は、また、選択命令として認識される。選択命令及びサイズ調整命令は、また、キー入力部１１０または他の種類のタッチジェスチャーによって生成されることができる。
【００７０】
図８の画面表示（ｂ）、（ｃ）を参照すれば、選択された客体８０１の第１軸は、垂直方向であり、第２軸は、水平方向であることを仮定する。第２軸がさらに長いため、第２軸が基準軸になる。したがって、客体８０１は、第２軸（水平方向に）に画面サイズによって拡大されることができ、前記ガイドの比率によって第１軸（垂直方向に）を拡大する。図９は、本発明の実施例によって選択された領域を１つの客体（ｏｂｊｅｃｔ）として認識し、客体領域を拡張する動作を示す図である。
【００７１】
図９の画面表示（ａ）を参照すれば、制御部１３０が表示されたウェブブラウザーでフレームを客体９０１として認識し、実線でガイドを表示している。ガイドは、多様な方法で表示可能である。制御部１３０は、客体９０１に対して選択命令とサイズ調整命令を受信する。サイズ調整は、客体の拡大または縮小である。２個のタッチ入力が客体９０１上に発生する。例えば、第１タッチ入力は、客体９０１に対する選択命令であり、第２タッチ入力は、サイズ調整命令である。選択命令及びサイズ調整命令は、また、キー入力部１１０または他の種類のタッチジェスチャーによって生成されることができる。
【００７２】
以上説明したように、特定の領域は、選択命令なしに客体として認識され、認識された客体のサイズは、直接サイズ調整命令に応答して調整されることができる。
【００７３】
本発明の一実施例で、ユーザは、多数の過程または煩雑な入力を行うことなく、さらに簡便な方法で選択された客体のサイズを調整することができる。
【００７４】
本明細書と図面に開示された本発明の実施例は、本発明の技術内容を容易に説明し、本発明の理解を助けるために特定例を提示したものに過ぎず、本発明の範囲を限定しようとするものではない。ここに開示された実施例以外にも、本発明の技術的思想に基づき他の変形例が実施可能であるということは、本発明の属する技術分野における通常の知識を有する者に自明である。
【符号の説明】
【００７５】
１００  画面に表示された客体のサイズ調整装置
１１０  キー入力部
１２０  タッチスクリーン
１２１  タッチセンサー
１２２  表示部
１３０  制御部
１３１  客体認識部
１３２  客体サイズ調整部
【図１】
2015508210.tif 000003
【図３】
2015508210.tif 000004
【図４】
2015508210.tif 000005
【図５】
2015508210.tif 000006
【図６】
2015508210.tif 000007
【図７】
2015508210.tif 000008
【図８】
2015508210.tif 000009
【図９】
2015508210.tif 000010
【図２】
2015508210.tif 000011
【国際調査報告】
2015508210.tif 000012
2015508210.tif 000013
2015508210.tif 000014